(57)【要約】【課題】螺旋状部材の巻き付けられた電線にもフィットする状態で取り付けることが可能な難着雪リングを提供する。【解決手段】螺旋状部材の巻き付けられた電線に取り付けられる難着雪リングであって、内周面に、螺旋状部材の延在方向に沿って電線の軸方向から傾斜した方向に延在し、螺旋状部材を通過させる第１の溝を有する。【選択図】図１
2016167947.tif 000002
【特許請求の範囲】
【請求項１】
螺旋状部材の巻き付けられた電線に取り付けられ、
内周面に、前記螺旋状部材の延在方向に沿って前記電線の軸方向から傾斜した方向に延在し前記螺旋状部材を通過させる第１の溝を有する難着雪リング。
【請求項２】
さらに、
前記内周面に、前記螺旋状部材と撚り方向が逆の螺旋状部材の延在方向に沿って前記電線の軸方向から傾斜した方向に延在する第２の溝を有する請求項１に記載の難着雪リング。
【請求項３】
第１の半円弧状部材と第２の半円弧状部材とがヒンジ部を介して互いに接続された構造を有し、前記第１の半円弧状部材側の前記内周面に前記第１の溝を有し、前記第２の半円弧状部材側の前記内周面に前記第２の溝を有する請求項２に記載の難着雪リング。
【発明の詳細な説明】
【技術分野】
【０００１】
本発明は、難着雪リングに関する。
【背景技術】
【０００２】
架空送電線への着雪を抑制する着雪対策のために、難着雪リングが用いられている（例えば特許文献１参照）。また、着雪対策や、架空送電線による風音を抑制する風音対策等のために、スパイラルロッド（登録商標）等の、電線に巻き付けられる螺旋状部材が用いられている。
【０００３】
電線に螺旋状部材を巻き付けることにより、電線の外周上に突出部が形成される。このため、螺旋状部材の巻き付けられた電線に難着雪リングを取り付けようとしても、螺旋状部材による突出部が干渉して、うまく取り付けることができない。
【先行技術文献】
【特許文献】
【０００４】
【特許文献１】特開２００９−５５６５８号公報
【発明の概要】
【発明が解決しようとする課題】
【０００５】
本発明の一目的は、螺旋状部材の巻き付けられた電線にもフィットする状態で取り付けることが可能な難着雪リングを提供することである。
【課題を解決するための手段】
【０００６】
本発明の一態様によれば、
螺旋状部材の巻き付けられた電線に取り付けられる難着雪リングであって、
内周面に、前記螺旋状部材の延在方向に沿って前記電線の軸方向から傾斜した方向に延在し、前記螺旋状部材を通過させる第１の溝を有する難着雪リング
が提供される。
【発明の効果】
【０００７】
螺旋状部材を通過させる第１の溝が内周面に設けられていることにより、螺旋状部材が巻き付けられた電線にもフィットする状態で、難着雪リングを取り付けることができる。
【図面の簡単な説明】
【０００８】
【図１】図１（ａ）は、本発明の実施形態による難着雪リングの概略的な側面図であり、図１（ｂ）および図１（ｃ）は、それぞれ、実施形態による難着雪リングの内周面を示す概略図である。
【図２】図２は、スパイラル付電線に取り付けられた実施形態による難着雪リングを例示する概略的な上面図である。
【図３】図３（ａ）は、変形例による難着雪リングの概略的な側面図であり、図３（ｂ）および図３（ｃ）は、それぞれ、変形例による難着雪リングの内周面を示す概略図である。
【発明を実施するための形態】
【０００９】
図１（ａ）〜図１（ｃ）および図２を参照して、本発明の一実施形態による難着雪リングについて説明する。実施形態による難着雪リングは、好ましくは、着雪対策や風音対策等のためにスパイラルロッド（登録商標）等の螺旋状部材が巻き付けられた架空送電線（以下、スパイラル付電線と呼ぶことがある）に取り付けられて使用される。なお、螺旋状部材の電線への巻き付けタイミングは問わない。例えば、電線に後から現地で螺旋状部材が巻き付けられたスパイラル付電線であってもよいし、電線にあらかじめ工場で螺旋状部材が巻き付けられたスパイラル付電線であってもよい。
【００１０】
図１（ａ）は、実施形態による難着雪リング１００の概略的な側面図である。難着雪リング１００は、半円弧状部材１０と半円弧状部材２０とが、ヒンジ部３０を介して一端部で互いに接続された構造を有する。半円弧状部材１０および半円弧状部材２０の、ヒンジ部３０で接続された一端部と反対側の他端部が、開閉部４０を構成する。
【００１１】
ヒンジ部３０は、例えば、薄肉で変形可能な部材で形成されている。ヒンジ部３０を変形させ開閉部４０を開いた状態とすることで、難着雪リング１００の内周面５０側に、スパイラル付電線を挿入することができる。
【００１２】
一方の半円弧状部材１０の開閉部４０側端部に嵌合凸部１１が形成され、他方の半円弧状部材２０の開閉部４０側端部に嵌合凹部２１が形成されている。嵌合凸部１１と嵌合凹部２１とを互いに嵌合させることで、開閉部４０が閉じられる。
【００１３】
半円弧状部材１０の内周面１２と、半円弧状部材１０に対向配置された半円弧状部材２０の内周面２２とが協同して、概略円筒形状の内周面５０を構成し、内周面５０が、スパイラル付電線を把持する。
【００１４】
実施形態による難着雪リング１００は、内周面５０に、スパイラル付電線に巻き付けられた螺旋状部材を通過させることができる溝１３および溝２３を有する。図１（ａ）では、半円弧状部材１０側の内周面１２に溝１３が設けられ、半円弧状部材２０側の内周面２２に溝２３が設けられている構造を例示する。
【００１５】
図１（ｂ）および図１（ｃ）は、それぞれ、難着雪リング１００の内周面５０（１２、２２）を示す概略図であり、それぞれ、難着雪リング１００の中心部から（内側から）半円弧状部材１０を見た図（図１（ａ）に矢印Ａで示す方向の視線で見た図）、および、難着雪リング１００の中心部から半円弧状部材２０を見た図（図１（ａ）に矢印Ｂで示す方向の視線で見た図）である。なお、図１（ａ）における紙面表側の、難着雪リング１００の端面１０１が、図１（ｂ）および図１（ｃ）において紙面上側に配置された図示となっている。難着雪リング１００に把持されるスパイラル付電線の電線軸方向を、矢印２１０で示す。
【００１６】
電線に巻き付けられた螺旋状部材の延在方向は、螺旋状部材の撚り角に応じて（巻きピッチに応じて）、電線軸方向２１０に対して傾斜することとなる。また、電線に巻き付けられた螺旋状部材の撚り方向としては、Ｓ撚りとＺ撚りの２種類の方向があり得る。
【００１７】
難着雪リング１００の内周面５０に設けられた溝１３、２３は、螺旋状部材の延在方向に沿って電線軸方向２１０から傾斜した方向に延在し、２種類の撚り方向に対応するように、傾斜方向が互いに反対向きとなっている。例えば、溝１３がＳ撚り、溝２３がＺ撚りに対応している。
【００１８】
実施形態による難着雪リング１００は、内周面５０に螺旋状部材を通過させる溝１３、２３（の少なくともいずれか）が設けられていることにより、螺旋状部材が巻き付けられた電線にもフィットする状態で取り付けることができる。
【００１９】
溝１３、２３の延在方向が螺旋状部材の延在方向に沿って電線の軸方向から傾斜していることにより、溝１３、２３の幅を無駄に広くしなくとも、溝１３、２３に螺旋状部材を通過させることができる。つまり、溝１３、２３の延在方向を電線軸方向２１０と平行にする場合と比べて、溝１３、２３を効率的に配置することができる。溝１３、２３を設けたことに起因する半円弧状部材１０、２０の強度低下を抑制する観点からは、溝１３、２３の幅は狭い方が好ましい。なお、溝１３、２３の延在方向が、螺旋状部材の延在方向と厳密に一致していなくとも、螺旋状部材を通過させられる程度に傾斜していれば、溝１３、２３の延在方向が螺旋状部材の延在方向に沿っていると捉えることができる。
【００２０】
溝１３、２３の傾斜方向が、螺旋状部材の２種類の撚り方向に対応するよう互いに反対向きとなっていることにより、電線に巻き付けられた螺旋状部材の撚り方向がＳ撚りとＺ撚りのいずれであっても、溝１３、２３のいずれかを用いることにより、螺旋状部材を通過させることができる。このように、２種類の撚り方向に対応するよう互いに反対向きに傾斜した溝の両方を１つの難着雪リング１００に設けておくことにより、２種類の撚り方向に対応する溝をそれぞれ有する２つの難着雪リングを用いる場合に比べて、製造型を減らせる等、経済的である。
【００２１】
図２は、スパイラル付電線２００に取り付けられた難着雪リング１００を例示する概略的な上面図である。図２では、電線２０１にＳ撚りに螺旋状部材（例えばスパイラルロッド）２０２が巻き付けられたスパイラル付電線２００を例示し、Ｓ撚りに対応した溝１３に螺旋状部材２０２を通過させるように、難着雪リング１００がスパイラル付電線２００を把持している。
【００２２】
以上説明したように、実施形態による難着雪リング１００は、内周面５０に、電線２０１に巻き付けられた螺旋状部材２０２の延在方向に沿って電線軸方向２１０から傾斜した方向に延在し螺旋状部材２０２を通過させる溝（例えば溝１３）を有し、好ましくはさらに、内周面５０に、螺旋状部材２０２と撚り方向が逆の螺旋状部材の延在方向に沿って電線軸方向２１０から傾斜した方向に延在する溝（例えば溝２３）を有する。
【００２３】
なお、本実施形態による難着雪リング１００は、電線軸方向から傾斜した方向に延在する螺旋状部材が溝１３、２３を通過する態様で、スパイラル付電線に取り付けられる。このため、難着雪リング１００が電線軸方向に移動しようとしても、溝１３、２３が螺旋状部材によりある程度係止されているので、移動が抑制される。難着雪リング１００の電線軸方向への移動が抑制されていることは、着雪抑制効果を高める観点で好ましい。
【００２４】
次に、上述の実施形態の変形例による難着雪リングについて説明する。なお、説明の煩雑さを避けるため、上述の実施形態と同様な部材や構造については、同一の参照番号を用いて説明を進める。溝１３、２３の配置構造は、上述の実施形態のものに制限されず、例えば以下に説明するような他の構造とすることもできる。
【００２５】
図３（ａ）は、変形例による難着雪リング１００の概略的な側面図である。図３（ｂ）および図３（ｃ）は、それぞれ、難着雪リング１００の内周面５０（１２、２２）を示す概略図であり、それぞれ、難着雪リング１００の中心部から（内側から）半円弧状部材１０を見た図（図３（ａ）に矢印Ａで示す方向の視線で見た図）、および、難着雪リング１００の中心部から半円弧状部材２０を見た図（図３（ａ）に矢印Ｂで示す方向の視線で見た図）である。
【００２６】
上述の実施形態では、一方の半円弧状部材１０側の内周面１２に、一方の種類の撚り方向に対応する溝１３が設けられ、他方の半円弧状部材２０側の内周面２２に、他方の種類の撚り方向に対応する溝２３が設けられた構造を例示した。
【００２７】
本変形例では、一方の半円弧状部材１０側の内周面１２に、溝１３および２３の両方が設けられている構造を例示する。溝１３、２３は、必要に応じ、このように、両方とも一方の半円弧状部材側に設けることもできる。
【００２８】
また、本変形例の構造ではさらに、他方の半円弧状部材２０側の内周面２２にも、溝１３および２３の両方が設けられている。半円弧状部材２０に設けられた溝１３は、半円弧状部材１０に設けられた溝１３と、難着雪リング１００の中心を挟んで反対側に配置されている。また、半円弧状部材２０に設けられた溝２３は、半円弧状部材１０に設けられた溝２３と、難着雪リング１００の中心を挟んで反対側に配置されている。
【００２９】
本変形例による難着雪リング１００は、このような溝構造とすることにより、同一の撚り方向の螺旋状部材が対角配置で（電線周方向に１８０°離れて）２条巻き付けられたスパイラル付電線にもフィットするように、取り付けることができる。そして、２条の螺旋状部材の撚り方向がいずれの方向であっても、取り付けることができる。
【００３０】
なお、溝形成に起因する半円弧状部材１０、２０の強度低下を抑制する観点からは、上述の実施形態で例示したように、１つの半円弧状部材（１０または２０）当たり１本の溝（１３または２３）を設ける構造の方が、１つの半円弧状部材当たり複数の溝を設ける構造と比べて好ましいと言える。ただし、必要に応じ、半円弧状部材の材料や肉厚、溝の太さ等を適当に選択して、１つの半円弧状部材当たり複数の溝を設けても充分な強度が得られるようすることはできる。
【００３１】
なお、上述の実施形態では、嵌合凸部１１側にＳ撚りに対応する溝１３を設け、嵌合凹部２１側にＺ撚りに対応する溝２３を設ける構造を例示したが、必要に応じ、嵌合凸部１１側にＺ撚りに対応する溝２３を設け、嵌合凹部２１側にＳ撚りに対応する溝１３を設ける構造としてもよい。
【００３２】
以上、実施形態および変形例に沿って本発明を説明したが、本発明の実施形態はこれらに制限されるものではない。例えば、種々の変更、改良、組み合わせ等が可能なことは当業者に自明であろう。
【００３３】
＜本発明の好ましい態様＞
以下、本発明の好ましい態様について付記する。
【００３４】
（付記１）
本発明の一態様によれば、螺旋状部材の巻き付けられた電線に取り付けられ、内周面に、前記螺旋状部材の延在方向に沿って前記電線の軸方向から傾斜した方向に延在し前記螺旋状部材を通過させる第１の溝を有する難着雪リングが提供される。
【００３５】
（付記２）
付記１に記載の難着雪リングであって、好ましくは、
さらに、前記内周面に、前記螺旋状部材と撚り方向が逆の螺旋状部材の延在方向に沿って前記電線の軸方向から傾斜した方向に延在する第２の溝を有する。
【００３６】
（付記３）
付記２に記載の難着雪リングであって、好ましくは、
第１の半円弧状部材と第２の半円弧状部材とがヒンジ部を介して互いに接続された構造を有し、前記第１の半円弧状部材側の前記内周面に前記第１の溝を有し、前記第２の半円弧状部材側の前記内周面に前記第２の溝を有する。
【００３７】
（付記４）
付記２に記載の難着雪リングであって、好ましくは、
第１の半円弧状部材と第２の半円弧状部材とがヒンジ部を介して互いに接続された構造を有し、前記第１の半円弧状部材側の前記内周面に前記第１の溝および前記第２の溝を有する。
【００３８】
（付記５）
付記４に記載の難着雪リングであって、好ましくは、
前記第２の半円弧状部材側の前記内周面に、前記螺旋状部材と撚り方向が同一の螺旋状部材の延在方向に沿って前記電線の軸方向から傾斜した方向に延在する第３の溝と、前記螺旋状部材と撚り方向が逆の螺旋状部材の延在方向に沿って前記電線の軸方向から傾斜した方向に延在する第４の溝とを有する。
【符号の説明】
【００３９】
１０、２０  半円弧状部材
１１  嵌合凸部
２１  嵌合凹部
１２  （半円弧状部材１０の）内周面
２２  （半円弧状部材２０の）内周面
１３  （Ｓ撚りに対応する）溝
２３  （Ｚ撚りに対応する）溝
３０  ヒンジ部
４０  開閉部
５０  内周面
１００  難着雪リング
１０１  （難着雪リングの）端面
２００  スパイラル付電線
２０１  電線
２０２  螺旋状部材
２１０  電線軸方向
【図１】
2016167947.tif 000003
【図２】
2016167947.tif 000004
【図３】
2016167947.tif 000005